(57)【要約】【課題】ＩＰアドレスが動的に割り当てられるＩＰ電話の利用に際して、利用者側の運用を支援するシステムを提供することを目的とする。【解決手段】情報管理装置は、情報端末装置からの要求信号に応答して、その情報端末装置のＩＰアドレスを含むＩＰ情報を取得し、そのＩＰ情報を情報管理装置に送信するＩＰ情報送信手段を備え、情報管理装置は、情報端末装置からの受信したＩＰ情報より、データベースを検索して該当する端末管理情報を取得し、取得したその端末管理情報にＩＰ情報のＩＰアドレスを登録するＩＰ情報受信手段と、情報端末装置からの要求信号に応答して、入力した通話先の端末識別番号より、データベースを検索して該当する端末管理情報を取得し、取得したその端末管理情報のＩＰアドレスに属する情報端末装置と通話接続する端末識別番号入力接続手段とを備えることを特徴とする。【選択図】          図１
2004356908.tif 000002
【特許請求の範囲】
【請求項１】
インターネット電話の利用に加入した複数の利用者側が備える受話器を搭載した情報端末装置と、これらの情報端末装置を管理する情報管理装置とが、インターネットを介して接続することによって、インターネット電話の運用を支援するシステムであって、
前記情報端末装置は、インターネット電話の利用の度毎に、その情報端末装置に動的に付与されたＩＰアドレスを取得するＩＰアドレス取得手段を備えたＯＳと、
その情報端末装置からのＩＰ情報取得要求信号に応答して、前記ＩＰアドレス取得手段で取得した前記ＩＰアドレスを含むＩＰ情報を取得し、そのＩＰ情報を前記情報管理装置に送信するＩＰ情報送信手段とを少なくとも備え、
前記情報管理装置は、前記情報端末装置毎の端末識別番号と前記ＩＰアドレスとを含む端末管理情報を少なくとも登録するデータベースと、
前記情報端末装置からの前記ＩＰ情報を受信して、受信したＩＰ情報より、前記データベースを検索して該当する前記端末管理情報を取得し、取得したその端末管理情報に前記ＩＰ情報に設定されている前記ＩＰアドレスを登録するＩＰ情報受信手段と、
前記情報端末装置からの端末識別番号入力要求信号に応答して、入力した通話先の前記端末識別番号より、前記データベースを検索して該当する前記端末管理情報を取得し、取得したその端末管理情報に設定されている前記ＩＰアドレスに属する前記情報端末装置と通話接続する端末識別番号入力接続手段とを少なくとも備えることを特徴とする、インターネット電話運用支援システム。
【請求項２】
前記情報管理装置は、前記情報端末装置からの端末識別番号情報登録要求信号に応答して、入力した通話先の前記端末識別番号とその通話先の名称を含む端末識別番号情報を前記データベースに登録する端末識別番号情報登録手段と、
前記情報端末装置からの端末識別番号情報選択要求信号に応答して、入力した検索条件より、前記データベースを検索して該当する前記端末識別番号情報を取得し、その中から選択した前記端末識別番号情報に設定されている前記端末識別番号より、前記データベースを検索して該当する前記端末管理情報を取得し、取得したその端末管理情報に設定されている前記ＩＰアドレスに属する前記情報端末装置と通話接続する端末識別番号情報選択接続手段を更に備えることを特徴とする、請求項１に記載のインターネット電話運用支援システム。
【請求項３】
前記情報端末装置は、受話器とＵＳＢ接続されたパソコンを含み、
前記情報管理装置は、前記ＩＰ情報送信手段に関するソフトウエアを登録したライブラリと、
前記情報端末装置からのソフト要求信号に応答して、前記ライブラリより前記ソフトウエアをその情報端末装置にダウンロードするダウンロード手段とを更に備えることを特徴とする、請求項１、又は請求項２に記載のインターネット電話運用支援システム。
【発明の詳細な説明】
【０００１】
【発明の属する技術分野】
本発明は、インターネット電話の利用に加入した複数の利用者側が備える受話器を搭載した情報端末装置と、これらの情報端末装置を管理する情報管理装置とが、インターネットを介して接続することによって、インターネット電話の運用を支援するシステムに関するものである。
【０００２】
【従来の技術】
ＩＰ（Ｉｎｔｅｒｎｅｔ  Ｐｒｏｔｏｃｏｌ）電話の利用に際して、その端末装置の数に対して利用可能なＩＰアドレスの数が物理的に不足している為、インターネット・プロバイダより専用のＩＰアドレスが割り当てられていない利用者に対しては、利用の度毎に、利用可能なＩＰアドレスが動的に割り当てられている。
【０００３】
その為、ＩＰ電話の利用に於いて、通話先の端末装置を指定する際に、そのＩＰアドレスの入力が必要となり、その煩わしさが問題点として指摘されている。
【０００４】
又、従来からの携帯電話機で使い慣れた電話帳検索ツール等のように、通話先のＩＰアドレスを検索するツールが使用できない問題も発生している。
【０００５】
又、ＩＰ電話のシステム事例としては、例えば、特開２００１−１７７５７７号に開示されている「インターネット電話システム、及びその通信確立方法」が示すように、インターネット電話機のＩＰアドレスと加入者ＩＤ番号との対応を管理する加入者ＩＰアドレス管理テーブルを備えているが、そのＩＰアドレスは個々のインターネット電話機毎に専用に付与されていることを前提としたものであり、前述の動的に割り当てられたＩＰアドレスに対応する手段は記載されていない。
【特許文献１】
特開２００１−１７７５７７号公報（第１〜３頁）
【０００６】
【発明が解決しようとする課題】
以上のような問題を解決する為に本発明では、ＩＰアドレスが動的に割り当てられるＩＰ電話の利用に際して、利用者側の運用を支援するシステムを提供することを目的とする。
【０００７】
【課題を解決するための手段】
上記目的を達成する為、請求項１に記載の発明は、インターネット電話の利用に加入した複数の利用者側が備える受話器を搭載した情報端末装置と、これらの情報端末装置を管理する情報管理装置とが、インターネットを介して接続することによって、インターネット電話の運用を支援するシステムであって、
前記情報端末装置が、インターネット電話の利用の度毎に、その情報端末装置に動的に付与されたＩＰアドレスを取得するＩＰアドレス取得手段を備えたＯＳと、
その情報端末装置からのＩＰ情報取得要求信号に応答して、前記ＩＰアドレス取得手段で取得した前記ＩＰアドレスを含むＩＰ情報を取得し、そのＩＰ情報を前記情報管理装置に送信するＩＰ情報送信手段とを少なくとも備え、
前記情報管理装置が、前記情報端末装置毎の端末識別番号と前記ＩＰアドレスとを含む端末管理情報を少なくとも登録するデータベースと、
前記情報端末装置からの前記ＩＰ情報を受信して、受信したＩＰ情報より、前記データベースを検索して該当する前記端末管理情報を取得し、取得したその端末管理情報に前記ＩＰ情報に設定されている前記ＩＰアドレスを登録するＩＰ情報受信手段と、
前記情報端末装置からの端末識別番号入力要求信号に応答して、入力した通話先の前記端末識別番号より、前記データベースを検索して該当する前記端末管理情報を取得し、取得したその端末管理情報に設定されている前記ＩＰアドレスに属する前記情報端末装置と通話接続する端末識別番号入力接続手段とを少なくとも備えることを特徴とする。
【０００８】
この請求項１に記載の発明により、利用者は、ＩＰ電話の利用に際して、通話先の情報端装置のＩＰアドレスを入力することなく、従来の電話機と同様な固定的な電話番号等の端末識別番号にて、その情報端末装置を容易に指定することができる。
【０００９】
請求項２に記載の発明は、前記情報管理装置が、前記情報端末装置からの端末識別番号情報登録要求信号に応答して、入力した通話先の前記端末識別番号とその通話先の名称を含む端末識別番号情報を前記データベースに登録する端末識別番号情報登録手段と、
前記情報端末装置からの端末識別番号情報選択要求信号に応答して、入力した検索条件より、前記データベースを検索して該当する前記端末識別番号情報を取得し、その中から選択した前記端末識別番号情報に設定されている前記端末識別番号より、前記データベースを検索して該当する前記端末管理情報を取得し、取得したその端末管理情報に設定されている前記ＩＰアドレスに属する前記情報端末装置と通話接続する端末識別番号情報選択接続手段を更に備えることを特徴とする。
【００１０】
この請求項２に記載の発明により、利用者は、ＩＰ電話の利用に際して、携帯電話機等で使い慣れた通話先の端末識別番号の検索ツールと同様のツールを提供することによって、通話先の情報端末装置と容易に接続することができる。
【００１１】
請求項３に記載の発明は、前記情報端末装置が、受話器とＵＳＢ接続されたパソコンを含み、
前記情報管理装置が、前記ＩＰ情報送信手段に関するソフトウエアを登録したライブラリと、
前記情報端末装置からのソフト要求信号に応答して、前記ライブラリより前記ソフトウエアをその情報端末装置にダウンロードするダウンロード手段とを更に備えることを特徴とする。
【００１２】
この請求項３に記載の発明により、この支援システムを運営する事業者は、利用者が所有するパソコンにＵＳＢ電話機を接続する利用形態や必要なソフトウエアをダウンロードする利用形態を提供することによって、その利用者数の拡大を図ることができる。
【００１３】
【発明の実施の形態】
以下、本発明の一実施の形態を図に基づいて詳細に説明する。
図１は本発明のインターネット電話運用支援システム１００のシステム構成を示す模式図である。
【００１４】
図１に示すように、インターネット電話運用支援システム１００は、インターネット電話の利用に加入した複数の利用者側が備える受話器とＵＳＢ接続されたパソコン等の情報端末装置１０と、これらの情報端末装置１０がインターネット１を介して接続される情報管理装置３０とから構成される。
【００１５】
情報端末装置１０は、その情報端末装置に属する課金ＩＤとパスワードとを登録した端末属性ファイル１１を備える。
【００１６】
情報管理装置３０は、インターネット電話の運用支援を行う為に必要な情報を登録するデータベース４０と、インターネット電話の運用支援に関するソフトウエアを登録したライブラリ５０と、情報端末装置１０からの検索要求を受信して、データベース４０の検索結果を、インターネット１を介して送信するＷｅｂサーバー３１と、データベース４０を管理するデータベースサーバー３２と、インターネット電話の運用支援の業務処理を行うアプリケーションサーバー３３とから構成される。
【００１７】
データベース４０は、端末管理テーブル４１、端末識別番号テーブル４２等から構成される。
【００１８】
端末管理テーブル４１は、情報端末装置１０毎の端末識別番号とＩＰアドレスとを含む端末管理情報を記録するものである。
端末管理情報には、課金ＩＤとパスワードとからなる検索キー部と、検索キー部である端末識別番号と、データ部に属するＩＰアドレス、更新年月日、登録年月日等の情報を格納する。
端末識別番号は、情報端末装置１０毎に付与されるユニークな番号であり、ＩＰ電話の利用の加入時に登録する従来の電話番号に該当する番号である。
【００１９】
端末識別番号テーブル４２は、通話先の端末識別番号とその通話先の名称を含む端末識別番号情報を記録するものである。
端末識別番号情報には、発信元の端末識別番号と通話先の名称とからなる検索キー部と、データ部に属する通話先の端末識別番号、登録年月日等の情報を格納する。
【００２０】
ライブラリ５０は、後述するＩＰ情報送信手段２１等のソフトウエアが登録される。
【００２１】
次に、情報端末装置１０の処理手段２０と情報管理装置３０の処理手段６０とが情報の送受信を行う処理手順と、情報端末装置１０からの要求信号に応答して、データベース４０とライブラリ５０の検索を行う処理手順について説明する。図２は、本発明である情報端末装置１０の処理手段２０と情報管理装置３０の処理手段６０に於ける処理の流れ図であり、処理手段は、以下の６手段から構成される。
【００２２】
これらは、ＩＰ情報送信手段２１、ＩＰ情報受信手段６１、端末識別番号入力接続手段６２、端末識別番号情報登録手段６３、端末識別番号情報選択接続手段６４、ダウンロード手段６５である。
【００２３】
ＩＰ情報送信手段２１は、情報端末装置１０からのＩＰ情報取得要求信号に応答して、その情報端末装置１０のＩＰアドレスを含むＩＰ情報を取得し、そのＩＰ情報を情報管理装置３０に送信する。
【００２４】
以下に、ＩＰ情報送信手段２１の処理手順を詳細に説明する。
（１）情報端末装置１０からのＩＰ情報取得要求信号に応答して、その情報端末装置１０の端末属性ファイル１１を検索して課金ＩＤとパスワードとを取得する。
（２）その情報端末装置１０にインストールされているＷｉｎｄｏｗｓ（Ｒ）等のＯＳが備えるＩＰアドレス取得手段により、動的に付与されたＩＰアドレスを取得する。
（３）取得した課金ＩＤとパスワードとＩＰアドレスより、ＩＰ情報を作成してそのＩＰ情報を情報管理装置３０に送信する。
【００２５】
ＩＰ情報受信手段６１は、情報端末装置１０からのＩＰ情報を受信して、受信したＩＰ情報より、データベース４０を検索して該当する端末管理情報を取得し、取得したその端末管理情報にＩＰ情報に設定されているＩＰアドレスを登録する。
【００２６】
以下に、ＩＰ情報受信手段６１の処理手順を詳細に説明する。
（１）ＩＰ情報受信手段６１は、情報管理装置３０の電源投入時に自動起動され、情報端末装置１０からのＩＰ情報を受信するまでウエイトする。
（２）ウエイト解除後、受信したＩＰ情報に設定されている端末識別番号より、端末管理テーブル４１を検索して該当する端末管理情報を取得する。
（３）取得した端末管理情報に受信したＩＰ情報に設定されているＩＰアドレスを設定して端末管理テーブル４１を更新する。
【００２７】
端末識別番号入力接続手段６２は、情報端末装置１０からの端末識別番号入力要求信号に応答して、入力した通話先の端末識別番号より、データベース４０を検索して該当する端末管理情報を取得し、取得したその端末管理情報に設定されているＩＰアドレスに属する情報端末装置１０と通話接続する。
【００２８】
以下に、端末識別番号入力接続手段６２の処理手順を詳細に説明する。
（１）情報端末装置１０からの端末識別番号入力要求信号に応答して、端末識別番号入力接続・端末識別番号入力画面を要求のあった情報端末装置１０に送信する。
（２）情報端末装置１０からの通話先の端末識別番号の入力を受け付けて、入力した端末識別番号より、端末管理テーブル４１を検索して該当する端末管理情報を取得する。
（３）取得した端末管理情報に設定されているＩＰアドレスに属する情報端末装置１０と通話接続する。
（４）情報端末装置１０からの課金ＩＤとパスワードを含む通話終了信号を受け付けた場合のみ、受け付けた課金ＩＤとパスワードより、端末管理テーブル４１を検索して該当する端末管理情報を取得する。
（５）取得した端末管理情報に設定されているＩＰアドレスを消去して端末管理テーブル４１を更新する。
【００２９】
端末識別番号情報登録手段６３は、情報端末装置１０からの端末識別番号情報登録要求信号に応答して、入力した通話先の端末識別番号とその通話先の名称を含む端末識別番号情報をデータベース４０に登録する。
【００３０】
以下に、端末識別番号情報登録手段６３の処理手順を詳細に説明する。
（１）情報端末装置１０からの端末識別番号情報登録要求信号に応答して、端末識別番号情報登録・端末識別番号情報入力画面を要求のあった情報端末装置１０に送信する。
（２）情報端末装置１０からの通話先の名称と端末識別番号の入力を受け付けて、入力した通話先の名称と端末識別番号とが編集されている端末識別番号情報登録確認画面を要求のあった情報端末装置１０に送信する。
（３）情報端末装置１０からの確認ＯＫの選択を受け付けて、その情報端末装置１０の端末属性ファイル１１を検索して課金ＩＤとパスワードとを取得する。
（４）取得した課金ＩＤとパスワードより、端末管理テーブル４１を検索して該当する端末管理情報を取得する。
（５）取得した端末管理情報に設定されている端末識別番号と、入力した通話先の名称と端末識別番号より、端末識別番号情報を作成して端末識別番号テーブル４２に登録する。
【００３１】
端末識別番号情報選択接続手段６４は、情報端末装置１０からの端末識別番号情報選択要求信号に応答して、入力した検索条件より、データベース４０を検索して該当する端末識別番号情報を取得し、その中から選択した端末識別番号情報に設定されている端末識別番号より、データベース４０を検索して該当する端末管理情報を取得し、取得したその端末管理情報に設定されているＩＰアドレスに属する情報端末装置１０と通話接続する。
【００３２】
以下に、端末識別番号情報選択接続手段６４の処理手順を詳細に説明する。
（１）情報端末装置１０からの端末識別番号情報選択要求信号に応答して、端末識別番号情報選択接続・通話先名称入力画面を要求のあった情報端末装置１０に送信する。
（２）情報端末装置１０からの通話先名称の入力を受け付けて、その情報端末装置１０の端末属性ファイル１１を検索して課金ＩＤとパスワードとを取得する。
（３）取得した課金ＩＤとパスワードより、端末管理テーブル４１を検索して該当する端末管理情報を取得する。
（４）取得した端末管理情報に設定されている端末識別番号と入力した通話先名称を開始キーとして、端末識別番号テーブル４２を検索して該当する端末識別番号情報を取得する。
（５）取得した端末識別番号情報一覧が編集されている端末識別番号情報選択接続・端末識別番号情報選択画面を要求のあった情報端末装置１０に送信する。
（６）情報端末装置１０からの端末識別番号情報の選択を受け付けて、選択した端末識別番号情報に設定されている端末識別番号より、端末管理テーブル４１を検索して該当する端末管理情報を取得する。
（７）取得した端末管理情報に設定されているＩＰアドレスに属する情報端末装置１０と通話接続する。
（８）情報端末装置１０からの課金ＩＤとパスワードを含む通話終了信号を受け付けた場合のみ、受け付けた課金ＩＤとパスワードより、端末管理テーブル４１を検索して該当する端末管理情報を取得する。
（９）取得した端末管理情報に設定されているＩＰアドレスを消去して端末管理テーブル４１を更新する。
【００３３】
ダウンロード手段６５は、情報端末装置１０からのソフト要求信号に応答して、ライブラリ５０よりソフトウエアをその情報端末装置１０にダウンロードする。
【００３４】
以下に、ダウンロード手段６５の処理手順を詳細に説明する。
（１）情報端末装置１０からのソフト要求信号に応答して、ライブラリ５０に登録されているソフトウエアの必要容量とこの情報管理装置１０の各ドライブの空容量とが編集されているダウンロード・ドライブ選択画面を要求のあった情報端末装置１０に送信する。
（２）情報端末装置１０からのドライブの選択を受け付けて、選択したドライブにライブラリ５０に登録されているソフトウエアをコピーする。
【００３５】
以上、本発明の一実施の形態を詳細に説明したが、本発明は、本実施の形態に限られるものではない。本発明の技術的範囲が重複内で多様に変更実施することが可能である。
【００３６】
【発明の効果】
以上説明したように、本発明のインターネット電話運用支援システムによれば、専用ＩＰアドレスが付与されていない利用者は、通話先の情報端装置の指定に際して、そのＩＰアドレスを入力することなく、従来の電話機の電話番号と同様な利用者毎の端末識別番号による指定ツールや端末識別番号一覧を利用した検索ツール等の利便性を得ることができる。
【図面の簡単な説明】
【図１】本発明のインターネット電話運用支援システム１００のシステム構成を示す模式図である。
【図２】本発明である本発明である情報端末装置１０の処理手段２０と情報管理装置３０の処理手段６０に於ける処理の流れ図である。
【符号の説明】
１  インターネット
１０  情報端末装置
１１  端末属性ファイル
２０  処理手段
２１  ＩＰ情報送信手段
３０  情報管理装置
３１  Ｗｅｂサーバー
３２  データベースサーバー
３３  アプリケーションサーバー
４０  データベース
４１  端末管理テーブル
４２  端末識別番号テーブル
５０  ライブラリ
６０  処理手段
６１  ＩＰ情報受信手段
６２  端末識別番号入力接続手段
６３  端末識別番号情報登録手段
６４  端末識別番号情報選択接続手段
６５  ダウンロード手段
１００  インターネット電話運用支援システム
【図１】
2004356908.tif 000003
【図２】
2004356908.tif 000004